(57)【要約】【課題】  独立した駆動回路や新たなスペースを必要とせず、小型薄型の、低輝度下での撮影が可能な携帯端末を得ること。【解決手段】  被写体像を撮影する撮像部と、情報表示機能及び撮像部による撮影時の照明機能を有する有機ＥＬ素子からなる表示部と、を有する携帯端末とする。【選択図】        図７
2005333521.tif 000002
【特許請求の範囲】
【請求項１】
被写体画像を撮影する撮像部と、
情報表示機能及び前記撮像部による撮影時の照明機能を有する有機ＥＬ素子からなる表示部と、を有することを特徴とする携帯端末。
【請求項２】
前記撮像部で得られた被写体画像を記録する記録部を有し、
前記記録部に記録する被写体画像の撮影時に、前記表示部を照明用光源として用いることを特徴とする請求項１に記載の携帯端末。
【請求項３】
前記撮像部で得られた被写体画像を記録する記録部を有し、
プレビュー画像表示時及び前記記録部に記録する被写体画像の撮影時に、前記表示部を照明用光源として用いることを特徴とする請求項１に記載の携帯端末。
【請求項４】
前記表示部を照明用光源として用いるときの輝度を、プレビュー画像表示時よりも前記記録部に記録するための画像の撮影時に高くしたことを特徴とする請求項３に記載の携帯端末。
【請求項５】
前記携帯端末は情報表示をおこなう表示部を複数有し、少なくとも一つの前記有機ＥＬ素子からなる表示部が、前記撮像部の開口部側の面に配置されていることを特徴とする請求項１〜４のいずれか１項に記載の携帯端末。
【請求項６】
前記撮像部の開口部側の面に配置された前記有機ＥＬ素子からなる表示部の前面に光学部材を配置し、前記光学部材により、視野角を他方の表示部より狭角となしたことを特徴とする請求項５に記載の携帯端末。
【請求項７】
前記光学部材は、フレネルレンズ形状又はマイクロレンズアレイ形状に形成された光学部材であることを特徴とする請求項６に記載の携帯端末。
【発明の詳細な説明】
【技術分野】
【０００１】
本発明は、撮像装置を備えた携帯電話等の携帯端末に関し、詳しくは画像や文字等の表示用に有機ＥＬ素子からなる表示装置を用いた携帯端末に関するものである。
【背景技術】
【０００２】
従来より小型で薄型の撮像装置が、携帯電話機やＰＤＡ（Ｐｅｒｓｏｎａｌ  Ｄｉｇｉｔａｌ  Ａｓｓｉｓｔａｎｔ）等の小型、薄型の電子機器である携帯端末に搭載されるようになり、これにより遠隔地へ音声情報だけでなく画像情報も相互に伝送することが可能となっている。
【０００３】
これら携帯端末には、情報を表示する表示部を備えたものが一般的である。近年、この表示部に、有機エレクトロルミネッセンス素子（以下、有機ＥＬ素子と称す）で構成された表示装置（以下、有機ＥＬ表示装置と称す）を使用したものがある。有機ＥＬ素子は、薄膜の有機化合物の発光層を電極で挟持し、この電極間に通電すると発光する性質を有するものである。この有機ＥＬ素子を平面上に多数個配置して有機ＥＬ表示装置を構成し、選択的に発光させることにより図形、キャラクタ等の表示がおこなわれている。
【０００４】
この有機ＥＬ表示装置は、自発光素子であるため、反射型ＬＣＤのフロントライト、透過型ＬＣＤのバックライトに相当する照明用光源を不要とできる利点がある。
【０００５】
また、この有機ＥＬ素子をカメラのストロボ装置として、従来のクセノン管の代わりに使用し、発光部として用いるものが開示されている（例えば、特許文献１参照）。
【０００６】
一方、携帯端末に搭載された撮像装置を用いて低輝度下で撮影をおこなう場合に備え、被写体を照明する光源を内蔵したものがある。この照明用の光源を内蔵した携帯電話機として、着信時に発光する着信ランプに用いる発光ダイオードを撮影時には照明用の光源として使用するものが開示されている（例えば、特許文献２参照）。
【特許文献１】特開２００２−１１６４８１号公報
【特許文献２】特開２００３−３３３１５５号公報
【発明の開示】
【発明が解決しようとする課題】
【０００７】
しかしながら、上記の特許文献１に記載のカメラのストロボ装置は、色温度を可変にできる利点を有するが、従来と同様に発光部を駆動するための駆動回路を必要とし、カメラに内蔵する場合には、駆動回路を収納するためのスペースが必要である。
【０００８】
また、上記の特許文献２に記載の着信ランプに用いる発光ダイオードを、撮影時に照明用の光源として使用するものは、着信ランプを配置するスペースを必要とするものであり、いずれについても携帯端末の小型薄型化の促進に効果的でないものである。
【０００９】
本発明は上記問題に鑑み、独立した駆動回路や新たなスペースを必要とせず、小型薄型の形状を保ったまま、照明用の光源を備えた、低輝度下での撮影の可能な携帯端末を得ることを目的とするものである。
【課題を解決するための手段】
【００１０】
上記の課題は、以下の手段で解決される。
【００１１】
１）  被写体画像を撮影する撮像部と、情報表示機能及び前記撮像部による撮影時の照明機能を有する有機ＥＬ素子からなる表示部と、を有することを特徴とする携帯端末。
【００１２】
２）  前記撮像部で得られた被写体画像を記録する記録部を有し、
前記記録部に記録する被写体画像の撮影時に、前記表示部を照明用光源として用いる１）の携帯端末。
【００１３】
３）  前記撮像部で得られた被写体画像を記録する記録部を有し、プレビュー画像表示時及び前記記録部に記録する被写体画像の撮影時に、前記表示部を照明用光源として用いる１）の携帯端末。
【００１４】
４）  前記表示部を照明用光源として用いるときの輝度を、プレビュー画像表示時よりも前記記録部に記録するための画像の撮影時に高くした３）の携帯端末。
【００１５】
５）  前記携帯端末は情報表示をおこなう表示部を複数有し、少なくとも一つの前記有機ＥＬ素子からなる表示部が、前記撮像部の開口部側の面に配置されている１）〜４）のいずれかの携帯端末。
【００１６】
６）  前記撮像部の開口部側の面に配置された前記有機ＥＬ素子からなる表示部の前面に光学部材を配置し、前記光学部材により、視野角を他方の表示部より狭角となした５）の携帯端末。
【００１７】
７）  前記光学部材は、フレネルレンズ形状又はマイクロレンズアレイ形状に形成された光学部材である６）の携帯端末。
【００１８】
即ち、本発明者は、有機ＥＬ素子で構成された情報表示部を、撮影時は照明用の光源として兼用することで、照明用の部材、駆動回路及び新たなスペースを要せず、即ち小型薄型でありながら、低輝度下での撮影の可能な携帯端末が得られることを見出し、本発明に至ったものである。
【発明の効果】
【００１９】
本発明の請求項１によれば、独立した駆動回路や新たなスペースを必要とせず、小型薄型の形状を保ったまま、照明用の光源を備えた、低輝度下での撮影の可能な携帯端末を得ることが可能になる。
【００２０】
請求項２によれば、電源の消耗を抑えることができる。
【００２１】
請求項３によれば、撮影前の被写体のモニタリングをも容易な携帯端末とすることができる。
【００２２】
請求項４によれば、撮影前の被写体のモニタリングを可能としつつ、電源の消耗を抑えることができる。
【００２３】
請求項５によれば、独立した駆動回路や新たなスペースを必要とせず、小型薄型の形状を保ったまま、照明用の光源を備えた、低輝度下での撮影の可能な携帯端末を得ることができる。
【００２４】
請求項６によれば、有機ＥＬ素子で構成された表示部の視野角を狭角とすることができ、表示部を照明用光源として使用するときに照明光を効率よく被写体側に集めることができる。
【００２５】
請求項７によれば、薄型のまま照明光を効率よく被写体側に集めることができる。
【発明を実施するための最良の形態】
【００２６】
以下、実施の形態により本発明を詳しく説明するが、本発明はこれに限定されるものではない。
【００２７】
図１は、本発明に係る携帯端末の一例である携帯電話機Ｔの外観図である。
【００２８】
同図に示す携帯電話機Ｔは、一方の表示部Ｄ１を備えたケースとしての上筐体１と、操作ボタンＰを備えた下筐体２とがヒンジ３を介して連結されている。撮像部である撮像装置Ｓ（以下、カメラモジュールと称する場合もある）は、上筐体１内の他方の表示部Ｄ２の下方に内蔵されており、撮像装置Ｓが上筐体１の外表面側から光を取り込めるよう配置されている。即ち、携帯電話機Ｔは、２つの表示部Ｄ１、Ｄ２を備え、表示部Ｄ２は撮像装置Ｓの開口部側の同じ面に配置されている。本発明においては、少なくとも撮像装置Ｓの開口部側の面に配置された表示部Ｄ２は、有機ＥＬ素子で構成された表示部となっている。
【００２９】
この表示部Ｄ１は図示のように携帯端末が開かれた状態のとき、各種情報表示をおこない、表示部Ｄ２は少なくとも携帯端末が折りたたまれた状態のとき、情報表示をおこなうようになっている。
【００３０】
上筐体１の表示部Ｄ１の下方には、円弧状の開口部４とこの開口部４から操作部材５が露出するよう配置されている。この操作部材５を開口部４内で図示上方へ移動させることによりマクロ撮影時のピント位置に設定される。
【００３１】
なお、この撮像装置の位置は上筐体１内の表示部Ｄ２の上方や側方に配置してもよい、また携帯電話機は折りたたみ式に限るものではないのは、勿論である。
【００３２】
図２は、図１に示す携帯端末の概略の内部構成例を示すブロック図である。以下の図においては、説明の重複を避けるため、同機能部材には同符号を付与して説明する。
【００３３】
同図において、携帯電話機Ｔはアンテナ１１と、無線部１２と、信号処理部１３と、制御部１４と、音声合成処理部１５と、スピーカ１６と、音声合成処理部１７と、マイク１８と、表示制御部１９と、表示部Ｄ１と、表示制御部２０と、表示部Ｄ２と、画像記録用メモリ２１と、ＲＯＭ２２と、撮像部であるカメラモジュールＳと、操作部Ｐと、から構成されている。
【００３４】
無線部１２は、図示せぬ基地局との間で授受される携帯電話無線信号を変復調する。信号処理部１３は、無線部１２で復調された信号を受信制御信号と音声信号に分離し、制御部１４へ受信制御信号を出力したり、制御部１４からの送信信号の処理をおこなう。また、制御部１４は、ＲＯＭ２２に格納された携帯電話Ｔ全体の制御プログラムデータ（コンピュータで実行可能なプログラム）により携帯電話機Ｔの各部の動作を制御するものである。
【００３５】
音声合成処理部１５は、制御部１４からの音声信号を合成し、スピーカ１６から音声として出力する。音声合成処理部１７は、マイク１８から入力される音声を音声信号に変換、制御部１４へ出力するものである。操作部Ｐは、キーパネル等で操作命令信号を制御部１４へ出力する。
【００３６】
撮像部Ｓは、レンズ群及び撮像素子とその周辺回路で構成され、撮像素子により光電変換された撮像信号をＡ／Ｄ変換して画素データとし、制御部１４へ出力する。制御部１４は、このＡ／Ｄ変換後の画素データに所定の画像処理及び圧縮処理を施し画像データとし、記録部である画像記録用メモリ２１に格納する。この画像記録用メモリ２１は、携帯電話機Ｔに内蔵固定されたフラッシュメモリでもよいし、挿脱可能なリムーバブルメモリで構成してもよい。
【００３７】
表示制御部１９は、制御部１４からの表示信号を表示部Ｄ１で表示可能な信号に変換して表示部Ｄ１に出力し、表示部Ｄ１は表示制御部１９からの信号により表示をおこなう。表示制御部２０は、制御部１４からの表示信号を表示部Ｄ２で表示可能な信号に変換して表示部Ｄ２に出力し、表示部Ｄ２は表示制御部２０からの信号により表示をおこなう。
【００３８】
なお、図１で説明したように本例においては、撮像装置Ｓの開口部側の面に配置された表示部Ｄ２は、有機ＥＬ素子で構成された表示部で構成されている。なお、表示部Ｄ１も有機ＥＬ素子で構成してもよい。
【００３９】
以下に、有機ＥＬ素子について簡単に説明する。
【００４０】
図３は、有機ＥＬ素子で構成された表示部のユニットを抜き出した図である。
【００４１】
同図において、有機ＥＬ素子を複数個、２次元的に並べて配置することにより構成された表示部Ｄ２は、表示制御部２０とヒートシール３１で電気的に接続されている。なお、この接続はフレキシブルプリント基板等を用いてもよい。表示制御部２０からの、画像信号に基づいた信号、詳しくは走査信号とデータ信号により、個々の有機ＥＬ素子の発光制御をおこなうことにより、画像やキャラクタを表示することができるようになっている。
【００４２】
図４は、有機ＥＬ素子で構成された表示部の断面を示す模式図である。
【００４３】
同図に示すように、有機ＥＬ素子で構成された表示部は、透光性の基板４１に陽極層４２、有機層４３、陰極層４４を積層したものである。
【００４４】
陽極層４２は、例えばインジウムチンオキサイド（ＩＴＯ）、インジウムジンクオキサイド（ＩＺＯ）、金、酸化スズ、酸化亜鉛等の仕事関数が４ｅＶ（電子ボルト）以上で、透過率が４０％以上の導電材料による透明電極が形成された層である。
【００４５】
有機層４３は、発光層を含む有機化合物または錯体の単層または複数層、例えば陽極層４２と接する正孔輸送層、発光材料で形成された発光層、陰極層４４と接する電子輸送層等からなるものである。また、フッ化リチウム層や無機金属塩の層或いはそれらを含有する層等が、任意の位置に形成されていてもよい。
【００４６】
陰極層４４は、例えばアルミニウム、ナトリウム、リチウム、マグネシウム、カルシウム、銀等の仕事関数が４ｅＶ（電子ボルト）未満で、反射率が６０％以上の金属材料からなる反射電極が形成された層である。
【００４７】
基板４１は、基材として、例えばガラス、石英等のソリッド基板用の基材、或いはポリエチレンテレフタレート（ＰＥＴ）、ポリエチレンナフタレート（ＰＥＮ）、ポリエーテルスルホン（ＰＥＳ）、ポリエーテルイミド、ポリエーテルエーテルケトン、ポリフェニレンスルフィド、ポリアリレート、ポリイミド、ポリカーボネイト（ＰＣ）、セルローストリアセテート（ＴＡＣ）、セルロースアセテートプロピオネート（ＣＡＰ）等のフレキシブルな基材が用いられる。
【００４８】
なお、有機ＥＬ素子を構成する有機化合物は、水分や大気中の酸素により劣化するため、封止して外部雰囲気から遮断して使用される。この封止部材等は図４では省略してある。
【００４９】
図５は、表示部を構成する有機ＥＬ素子の１画素を抜き出した等価的回路図である。同図において、５０は有機ＥＬ素子、５１はスイッチングトランジスタ、５２は駆動トランジスタ、５３はコンデンサ、５５は走査線、５６はデータ線、５７は電源線である。
【００５０】
同図に示すように、データ線５６を介しスイッチングトランジスタ５１のドレインに電圧が印加され、走査線５５を介してスイッチングトランジスタ５１のゲートに電圧が印加されるとスイッチングトランジスタ５１がオンし、コンデンサ５３に電荷が蓄積されると共に、駆動トランジスタ５２のゲートに電圧が印加される。これにより駆動トランジスタ５２がオンされ、データ線の電位に応じて、電源線５７から有機ＥＬ素子５０へ通電され発光することになる。この後、走査線の電圧印加が断たれても、コンデンサ５３に充電した電荷により、所定の時間は駆動トランジスタ５２はオンされ続け、有機ＥＬ素子５０は発光し続けるようになっている。
【００５１】
以上が、有機ＥＬ素子の１画素を発光させるシーケンスである。情報表示する表示部は、このような有機ＥＬ素子を２次元的に複数配置し、個々の有機ＥＬ素子に上述のようなデータ線と走査線の電圧印加制御を順次おこなうことで、画像やキャラクタの表示を可能としている。なお本例はアクティブマトリクス方式で説明したが、本発明においてはパッシブマトリクス方式であっても適用可能である。
【００５２】
また、発光量即ち輝度の制御は、このデータ線５６を制御することでおこなわれ、例えば高輝度で発光させようとする場合には、コンデンサ５３への充電を充分におこない、コンデンサ５３の両端の電圧を増加させ、有機ＥＬ素子に供給される電流量が増加するようデータ線５６を制御することで発光量を増加させるようになっている。
【００５３】
なお、電源線の電圧を可変として、有機ＥＬ素子に供給される電流量が増加するように構成してもよい。
【００５４】
図６は、２次元的に配置された有機ＥＬ素子のカラー配列パターンの例を示す図である。同図（ａ）に示すような、Ｇ（グリーン）、Ｂ（ブルー）、Ｒ（レッド）をマトリクス状に配列したもの、同図（ｂ）に示すように、千鳥状に配列したもの等が用いられる。
【００５５】
本発明は、以上のような有機ＥＬ素子で構成された表示部を用い、通常の表示をおこなうときは、Ｒ、Ｇ、Ｂの３色でカラー画像やキャラクタによる情報表示をおこない、撮像部を使用しての被写体撮影に際しては、色度図の例えばＣＩＥ１９３１色度座標のｘ値を０．２〜０．４５、ｙ値を０．２〜０．４２の範囲内、即ち、白色となるよう３色の発光量を制御しつつ、発光量を上げて照明用光源として使用するものである。以下、白色で、発光量を上げて照明用光源として使用する場合を、照明モードと称して説明する。
【００５６】
以下に、上述のような有機ＥＬ素子で構成された表示部を有する携帯端末の、撮像部を使用して撮影をおこなう際の動作概略について説明する。
【００５７】
図７は、携帯端末の種々の機能のうち、撮像部を使用した撮影モードに設定したときの動作概略の例を示すフローチャートである。
【００５８】
同フローチャートにおいて、まず撮影モードにセットされたかどうか判断（ステップＳ１０１）し、撮影モードにセットされたと判断した場合（ステップＳ１０１；Ｙｅｓ）には、撮像素子をＯＮし、撮像部（カメラモジュール）と反対側の面に配置された表示部（図１に示す携帯電話機の場合、表示部Ｄ１が相当）に、撮像部で撮像しつつある被写体画像、即ちプレビュー画像（スルー画像ともいう）を表示する（ステップＳ１０２）。このプレビュー画像は、被写体のモニタのために用いられ、ファインダ機能の代わりとなるものである。
【００５９】
この後、再度、撮影モードかどうか判断（ステップＳ１０３）し、撮影モードが解除（ステップＳ１０３；Ｎｏ）されていればステップＳ１０１へ戻り、撮影モードであれば（ステップＳ１０３；Ｙｅｓ）、レリーズ機能を付与された釦（例えば、図１に示す操作ボタンＰのいずれかでよい）がＯＮされるのを待機する（ステップＳ１０４）。レリーズ機能を付与された釦がＯＮされると（ステップＳ１０４；Ｙｅｓ）、プレビュー画像取得に際しての撮像素子の蓄積時間とゲインの関係から、被写体輝度が所定の輝度値以下かどうか判断する（ステップＳ１０５）。
【００６０】
被写体輝度が所定の輝度値以下の場合（ステップＳ１０５；Ｙｅｓ）は、撮像部側の面に配置された表示部（図１に示す携帯電話機の場合、表示部Ｄ２が相当）を、照明モードで駆動して、発光させ、この時の蓄積時間とゲインの関係から撮影時の露光時間（電荷蓄積時間）を決める（ステップＳ１０６）。この照明モード時の発光輝度としては、１０００ｃｄ／ｍ2以上とするのが好ましい。
【００６１】
この後、撮像素子の電荷をクリアし、撮影のための電荷蓄積を開始する（ステップＳ１０７）。ステップＳ１０６で決められた露光時間（電荷蓄積時間）となると、電荷蓄積を停止（ステップＳ１０８）し、撮像部側の面に配置された表示部の照明モード駆動を停止させる（ステップＳ１０９）。
【００６２】
一方、ステップＳ１０５で、被写体輝度が所定の輝度値を越える場合（ステップＳ１０５；Ｎｏ）は、プレビュー時の撮像素子の蓄積時間とゲインの関係から撮影時の露光時間（電荷蓄積時間）を決め（ステップＳ１１０）、撮像素子の電荷をクリアした後、撮影のための電荷蓄積を開始する（ステップＳ１１１）。ステップＳ１１０で決められた露光時間（電荷蓄積時間）となると、電荷蓄積を停止（ステップＳ１１２）させる。
【００６３】
即ち、被写体輝度が所定の輝度値以下の場合は、撮像部側の面に配置された表示部を、照明用光源として照明モードで駆動して、発光させて撮影に供し、被写体輝度が所定の輝度値を越える場合は、周囲光による定常光撮影をおこなうものである。
【００６４】
この後、撮像素子に蓄積された電荷を読み出し（ステップＳ１２０）、Ａ／Ｄ変換後の画素データに所定の画像処理を施して画像データとした後、圧縮処理をおこなう（ステップＳ１２１）。次いで、この圧縮された画像データを画像記録用メモリ（図２参照）に格納する。
【００６５】
以上で一枚の画像の撮影が終了し、ステップＳ１０１へ戻る。
【００６６】
ステップＳ１０１で撮影モードが解除されたと判断（ステップＳ１０１；Ｎｏ）すると撮影モードの終了処理をおこない（ステップＳ１３０）、他のモードへ移行する。
【００６７】
このように、撮像部の開口部側の面に配置されている表示部を、照明用光源として用いることで、独立した駆動回路や新たなスペースを必要とせず、小型薄型の形状を保ったまま、低輝度下での撮影が可能な携帯端末を得ることができる。また、この表示部を照明用に使用する場合、記録部に記録する被写体画像の撮影時とすることにより、電源の無用な消耗を抑えることができる。なお、本例では静止画撮影で説明したが、動画撮影時にも適用可能である。
【００６８】
図８は、携帯端末の種々の機能のうち、撮像部を使用した撮影モードに設定したときの動作概略のその他の例を示すフローチャートである。同図に示すフローのうち、図７と同じ部分には同符号を付与して説明を省略し、異なる部分について説明する。
【００６９】
同フローチャートにおいて、まず撮影モードにセットされたかどうか判断（ステップＳ２０１）し、撮影モードにセットされたと判断した場合（ステップＳ２０１；Ｙｅｓ）には、撮像素子をＯＮし、撮像部（カメラモジュール）と反対側の面に配置された表示部（図１に示す携帯電話機の場合、表示部Ｄ１が相当）に、撮像部で撮像しつつある被写体画像、即ちプレビュー画像を表示する（ステップＳ２０２）。
【００７０】
次いで、プレビュー画像取得に際しての撮像素子の蓄積時間とゲインの関係から、被写体輝度が所定の輝度値以下かどうか判断する（ステップＳ２０３）。被写体輝度が所定の輝度値以下の場合（ステップＳ２０３；Ｙｅｓ）、撮像部側の面に配置された表示部（図１に示す携帯電話機の場合、表示部Ｄ２が相当）を、小光量の照明モードで駆動して、発光させる（ステップＳ２０４）。この小光量の照明モード時の発光輝度としては、５００ｃｄ／ｍ2程度とするのが好ましい。
【００７１】
一方、被写体輝度が所定の輝度値を越える場合（ステップＳ２０３；Ｙｅｓ）は、ステップＳ２０４をジャンプする。
【００７２】
この後、再度、撮影モードかどうか判断（ステップＳ２０５）し、撮影モードが解除（ステップＳ２０５；Ｎｏ）されていればステップＳ２０１へ戻り、撮影モードであれば（ステップＳ２０５；Ｙｅｓ）、レリーズ機能を付与された釦（例えば、図１に示す操作ボタンＰのいずれかでよい）がＯＮされるのを待機する（ステップＳ２０６）。レリーズ機能を付与された釦がＯＮされると（ステップＳ２０６；Ｙｅｓ）、再度プレビュー画像取得に際しての撮像素子の蓄積時間とゲインの関係から、被写体輝度が所定の輝度値以下かどうか判断する（ステップＳ２０７）。
【００７３】
被写体輝度が所定の輝度値以下の場合（ステップＳ２０７；Ｙｅｓ）は、撮像部側の面に配置された表示部（図１に示す携帯電話機の場合、表示部Ｄ２が相当）を、大光量の照明モードで駆動して、発光させ、露光時間を決定する。この大光量の照明モード時の発光輝度としては、１０００ｃｄ／ｍ2以上とするのが好ましい。
【００７４】
以降は、図７で説明したステップＳ１０７〜ステップＳ１０９、ステップＳ１２０〜ステップＳ１２２と同様の動作となる。更に、被写体輝度が所定の輝度値を越える場合（ステップＳ２０７；Ｎｏ）も、図７で説明したステップＳ１１０〜ステップＳ１１２と同様の動作となる。
【００７５】
このように、撮像部の開口部側の面に配置されている表示部を、照明用光源として用い、プレビュー画像表示時は小光量で照明し、撮影時は大光量で照明するようにすることで、上述の効果に加え、電源の消耗を抑えつつ、撮影前の被写体のモニタリングをも容易な携帯端末とすることができる。なお、本例も同様に、静止画撮影で説明したが、動画撮影時においても適用可能である。また、プレビュー画像表示時は小光量で照明し、撮影時は大光量で照明するもので説明したが、プレビュー画像表示時及び撮影時に同光量で照明するものであっても本発明を逸脱するものではない。
【００７６】
図９は、撮像部の開口部側の面に配置されている表示部周辺の断面を示す模式図である。同図において、６１は筐体（図１に示す携帯端末の場合は上筐体に相当）、Ｓは撮像部である撮像装置、６４は有機ＥＬ素子で構成された情報表示をおこなう表示部である。
【００７７】
同図（ａ）は、表示部６４の発光部側の面に、各画素に対応してマイクロレンズアレイ６３を配置したものである。このマイクロレンズアレイ６３は、金型による成形で形成してもよいし、加熱溶融法等を用いて形成してもよい。同図においては、透光性の防塵プレート６２の内側にマイクロレンズアレイ６３を配置したが、防塵プレートを廃し、筐体６１にマイクロレンズアレイ６３を配置してもよい。
【００７８】
同図（ｂ）は、表示部６４の発光部側の面に、凸レンズ６５を配置したものである。この凸レンズ６５は、金型による成形で形成したものが好ましい。
【００７９】
同図（ｃ）は、表示部６４の発光部側の面に、フレネルレンズ６６を配置したものである。このフレネルレンズ６６は、金型により成形したものである。
【００８０】
このようにすることで、有機ＥＬ素子で構成された表示部の視野角を狭角とすることができ、望ましくは撮像装置Ｓの画角に近い角度にすることで、表示部を照明用光源として使用するときに照明光を効率よく被写体側に集めることができる。また、マイクロレンズアレイを使用する場合とフレネルレンズを使用する場合には、より薄型のまま照明光を効率よく被写体側に集めることができる。
【００８１】
図１０は、本発明に係る携帯端末の一例である携帯電話機のその他の例の外観図である。同図に示す携帯電話機Ｑは、撮像部である撮像装置Ｓと単一の表示部Ｄ３を有するものである。撮像装置Ｓは紙面表面方向を撮影するよう配置されている。表示部Ｄ３は、有機ＥＬ素子で構成された情報表示をおこなうものであり、撮像装置Ｓを用いて撮影をおこなう場合には、上述と同様に、表示部Ｄ３が照明モードで制御され、照明用光源として使用されるようになっている。このような配置の場合には、凸面鏡に形成された反射ファインダ６７を配置しておくことが好ましい。
【００８２】
以上説明したように、有機ＥＬ素子で構成された情報表示をおこなう表示部と、被写体像を撮影する撮像部と、被写体画像を記録する記録部と、を有し、撮像部の動作時には表示部を照明用光源として用いることにより、照明用の部材、駆動回路及び新たなスペースを要せず、小型薄型の、低輝度下での撮影の可能な携帯端末を得られるようになった。
【００８３】
なお、有機ＥＬ素子で構成された情報表示をおこなう表示部を、照明用光源として用いる場合、表示部全面を照明用として使用してもよいが、予め決められた一部の領域のみを照明用として使用してもよいのは勿論である。
【図面の簡単な説明】
【００８４】
【図１】本発明に係る携帯端末の一例である携帯電話機Ｔの外観図である。
【図２】図１に示す携帯端末の概略の内部構成例を示すブロック図である。
【図３】有機ＥＬ素子で構成された表示部のユニットを抜き出した図である。
【図４】有機ＥＬ素子で構成された表示部の断面を示す模式図である。
【図５】表示部を構成する有機ＥＬ素子の１画素を抜き出した等価的回路図である。
【図６】２次元的に配置された有機ＥＬ素子のカラー配列パターンの例を示す図である。
【図７】携帯端末の種々の機能のうち、撮像部を使用した撮影モードに設定したときの動作概略の例を示すフローチャートである。
【図８】携帯端末の種々の機能のうち、撮像部を使用した撮影モードに設定したときの動作概略のその他の例を示すフローチャートである。
【図９】撮像部の開口部側の面に配置されている表示部周辺の断面を示す模式図である。
【図１０】本発明に係る携帯端末の一例である携帯電話機のその他の例の外観図である。
【符号の説明】
【００８５】
１  上筐体
２  下筐体
３  ヒンジ
１１  アンテナ
１２  無線部
１３  信号処理部
１４  制御部
１５  音声合成処理部
１６  スピーカ
１７  音声合成処理部
１８  マイク
１９  表示制御部
２０  表示制御部
２１  画像記録用メモリ
２２  ＲＯＭ
Ｄ１  表示部
Ｄ２  表示部
Ｓ  撮像装置
Ｔ  携帯電話機
【図１】
2005333521.tif 000003
【図２】
2005333521.tif 000004
【図３】
2005333521.tif 000005
【図４】
2005333521.tif 000006
【図５】
2005333521.tif 000007
【図６】
2005333521.tif 000008
【図７】
2005333521.tif 000009
【図８】
2005333521.tif 000010
【図９】
2005333521.tif 000011
【図１０】
2005333521.tif 000012